(57)【要約】      （修正有）【課題】傘とステッキの両方の機能を有する構造及び取り出し時に安定的で便利な効果を有する磁鉄ステッキ傘を提供する。【解決手段】ステッキを傘の中棒１３中に位置させ、中棒１３の端には中空の柄部１２が設けられ、中空の柄部１２はステッキを中棒１３内へ進入させる為に用いられ、中空の柄部１２上端には内孔部が設けられ、内孔部内には磁性ブロック部１５が設けられる。さらに、ステッキの手元２１と支持棒２２の端部にも磁性ブロック部２３が設けられて、支持棒端部を柄部の孔部へ進入させ、磁性ブロック部２３により両者を密着させて固定させ、僅かな力を加えるのみでステッキを取り出し使用できる構造となる。【選択図】図３
0003176568.tif 000002
【実用新案登録請求の範囲】
【請求項１】
磁鉄ステッキ傘であって、
上端には手元が設けられ、下に向けて支持棒が設けられ、手元と支持棒間には磁性ブロック部が設けられるステッキと、
中棒上端には柄部が設けられ、中棒と柄部はステッキ傘の中棒を収容させる様に中空状を呈し、中空の柄部上端にはやや大きな孔部が設けられ、孔部内には磁性ブロック部が設けられ、孔部には手元の磁性ブロック部を収容させ、二つの磁性ブロック部は相互に吸着しあって安定した状態を保つ傘を含み、使用時には、僅かな力を加えるのみで素早く引き出せる機能を達成させることを特徴とする磁鉄ステッキ傘。
【考案の詳細な説明】
【技術分野】
【０００１】
本考案は、磁鉄ステッキ傘に関し、より詳しくは、ステッキと傘を結合させる「磁鉄ステッキ傘」設計の、シンプルな構造を有し、収納及び取り出しが便利な利点を有するものに関する。
【背景技術】
【０００２】
人間が雨や日差しを遮る必要に気付いた時に傘が発明され、今や傘は生活必需品となり、また傘の長さは老人の支えにも適するため、傘はステッキの用途も生み出した。
【０００３】
傘は本来雨や日差しを遮る為に設計されており、故にステッキの支持機能及び安定化機能を有してはおらず、後に両方の用途に使用出来るよう、傘及びステッキの機能を一体化させており、現在では多様な型式のステッキ傘が市場に登場し、あるものは傘の上に手で握らせる為のグリップを設け、またあるものは更に工夫を利かせてグリップの高さを調節できるようにしており、この種の設計は傘にステッキ機能を兼備させた用具を提供させた。  
【考案の概要】
【考案が解決しようとする課題】
【０００４】
しかしながら、前述した従来の技術では、ステッキ機能を兼備する傘は、両方の機能を有するが、雨の時に傘機能の使用を選択すると同時にはステッキの機能は使用出来ない等常に一つの機能のみを選択して使用せねばならず、ステッキ機能の使用時には、雨や日差しの遮断等の傘機能を使用出来ない等、本来の設計意義を大きく損ねてしまい、真の意味で両方の機能を兼備し使用可能とは言えず、ステッキの支持が必要な者の需要を完全に叶える事は出来ない。
【０００５】
本考案は、このような従来の問題に鑑みてなされたものである。上記課題解決のため、本考案は、傘とステッキ両方の機能を同時に有する構造、及び取り出しが安定且つ便利な効果を有するものを提供することを主目的とする。小さい力で取り出せるのが特徴で、ステッキと傘の結合箇所は、磁性ブロック部により互いに吸着し合い、他に複雑なロック部材は必要なく、簡単に使用可能にする効果を達成させる。
【０００６】
また、本考案に係る「磁鉄ステッキ傘」は、結合の安定という特徴を有し、中棒の柄部内にはステッキの磁性ブロック部を収容させる孔部が設けられ、磁性ブロック部の吸着と合わせ、安定的で外れにくい効果を達成させる。
【課題を解決するための手段】
【０００７】
上述した課題を解決し、目的を達成するために、本考案に係る磁鉄ステッキ傘は、
上端には手元が設けられ、下に向けて支持棒が設けられ、手元と支持棒間には磁性ブロック部が設けられるステッキと、
中棒上端には柄部が設けられ、中棒と柄部はステッキ傘の中棒を収容させる様に中空状を呈し、中空の柄部上端にはやや大きな孔部が設けられ、孔部内には磁性ブロック部が設けられ、孔部には手元の磁性ブロック部を収容させ、二つの磁性ブロック部は相互に吸着しあって安定した状態を保つ傘を含み、使用時には、僅かな力を加えるのみで素早く引き出せる機能を達成させることを特徴とする。
【考案の効果】
【０００８】
本考案によれば、シンプルな構造を有し、収納及び取り出しが便利という利点が得られる。
【図面の簡単な説明】
【０００９】
【図１】本考案に係る傘の実施形態図である。
【図２】本考案に係る傘とステッキを分離させた実施形態図である。
【図３】本考案に係る傘の柄部とステッキの手元の結合の実施形態図である。
【考案を実施するための形態】
【００１０】
以下に図面を参照して、本考案を実施するための形態について、詳細に説明する。なお、本考案は、以下に説明する実施形態に限定されるものではない。
【００１１】
（第１実施形態）
本考案に係る第１実施形態の構成を図１から図３に示す。本考案の実施形態に係る磁鉄ステッキ傘は図１と図２によると、ステッキ20は傘10の中棒13中に納置され、ステッキ20は手元21及び支持棒22を主に含み、手元21と支持棒22の間にはブロック部23が設けられ、傘10の中棒上端には柄部12が設けられ、図３によれば、傘の使用時に手で握らせ、また柄部12には内槽14が設けられると共に中棒13と共にステッキ20を収容させる為に中空状となり、中空の柄部12上端にはやや大きな経口の孔部16が設けられ、孔部16は手元21のブロック部23を収容させる。手元21のブロック部23には磁性機能を有し、対向する孔部16にも磁性ブロック部15が設けられて、手元21が中棒13に収容された後、二つの磁性ブロック部15と磁性ブロック部23は互いに吸着し合い、これによりステッキ20は傘10内に安定的に位置されて固持され、一体でステッキを使用させる目的を達成させる。
【００１２】
ステッキ20と傘10を使用して雨や日差しを遮りたい場合、小さな力をステッキ20の手元21にかけて上に向け取り出すのみで、二つの磁性ブロック部15と磁性ブロック部23を簡単に分離出来、ステッキ20を取り出し傘10とは別々に使用させる目的を達成させる。
【００１３】
以上、本考案はこのような実施形態に限定されるものではなく、考案の趣旨を逸脱しない範囲において、種々の形態で実施することができる。
【符号の説明】
【００１４】
１０    傘
１２    柄部
１３    中棒
１４    内槽
１５    磁性ブロック部
１６    孔部
２１    手元
２２    支持棒
２３    磁性ブロック部
２４    端部
【図１】
0003176568.tif 000003
【図２】
0003176568.tif 000004
【図３】
0003176568.tif 000005
【手続補正書】
【提出日】平成24年4月23日(2012.4.23)
【手続補正１】
【補正対象書類名】明細書
【補正対象項目名】全文
【補正方法】変更
【補正の内容】
【考案の詳細な説明】
【技術分野】
【０００１】
この考案は傘に関し、特にステッキとしても使用できるステッキ傘に関する。
【背景技術】
【０００２】
人間が雨や日差しを遮る必要に気付いた時に傘が発明され、今や傘は生活必需品となり、また傘の長さは老人の支えにも適するため、傘はステッキの用途も生み出した。だが、傘は本来雨や日差しを遮る為に設計されており、このため身体を支え、安定させるための補助とするステッキの機能を有していなかった。その後、傘とステッキの機能が兼用できるように一体化された。
【０００３】
目下、市販されているステッキ傘の形態は多種多様で、例えば、傘の手元をステッキのグリップ状にして、ステッキとして使用する際に持ちやすくしたもの、もしくはステッキのグリップ状にした傘の手元の高さを自在に調整できるように工夫したものもある。
【０００４】
しかし、前述する従来のステッキ傘は、ステッキと傘の機能を兼用してはいるものの、実際に使用する場合、傘としての機能か、ステッキとしての機能か、二者択一しなければならない。即ち、傘として使用する場合はステッキとして使用できず、ステッキとして使用する場合は傘として使用できない。
【０００５】
そこで、特許公開平６−２５３９１５号公報に開示するステッキが考案された。右ステッキは、パイプ状のステッキ本体の上端にステッキ本体の上端を覆うように把手部を着脱自在に設け、前記ステッキ本体の内部には取り出し自在に傘を収納してあり、傘を使わないときはステッキ本体の内部に傘を収納でき、傘が必要なときにステッキ本体から傘を取り出して使用できるようにしたものである。
【０００６】
前記ステッキ本体の上端外面には雄ねじ部が形成され、この雄ねじ部に把手部から下向きに連設された軸部の内面雌ねじ部が螺合してステッキ本体の上端に把手部がステッキ本体の上端を覆うように取り付けられるようになっている。かかる構成において、傘使わないときはステッキ本体の内部に傘を収納した状態でステッキのみを使用し、また雨降りで傘が必要になったときは把手部をステッキ本体から外してステッキ本体から傘を取り出し、その後ステッキ本体の上端に把手部を付け直せば、ステッキと傘を両方使用することができる。
【０００７】
前述の構造から明らかなように、右ステッキはパイプ状のステッキ本体に傘を収納するため、必然ステッキは太くなる。よって、取扱いが不便になる。さらに、把手をステッキ本体に螺合するため確実な着脱が得られるが、傘を取り出した後、把手部を付け直す必要がある。係る操作は極めて不便である。路上で急に雨が降ってきた場合、把手部を付け直して、傘を開くまでに、身体が雨に濡れることは十分可能である。ましてや。ステッキを必要とする使用者は、高齢者か身体に障害を持つ人が多く、傘を取り出す毎にこのように不便な操作を強いられることになる。
【先行技術文献】
【特許文献】
【０００８】
【特許文献１】特許公開平６−２５３９１５号
【考案の概要】
【考案が解決しようとする課題】
【０００９】
そこで、この考案はステッキ部と傘部とを具えるステッキ傘において、簡易な操作で該傘部と該ステッキ部とを容易に、かつ確実に着脱でき、必要に応じて随時傘とステッキとを分離してそれぞれ使用するか、もしくは一体にしてステッキとして使用することのできるステッキ傘を提供することを課題とする。
【課題を解決するための手段】
【００１０】
そこで、本考案者は従来の技術に見られる欠点に鑑み鋭意研究を重ねた結果、
ステッキ部と、傘部とによってなり、該ステッキ部を該傘部に着脱自在に収納したステッキ傘によって課題を解決できる点に着眼し、係る知見に基づいて本考案を完成させた。
【００１１】
請求項１に記載するステッキ傘は、ステッキ本体の一端に磁性を有する当接ブロックとハンドルとを設けたステッキ部と、収納空間を有する中空の棒であって、一端の外周面にグリップを形成し、該グリップを形成する部分の内周面に段差部を形成して、該段差部に磁性を有して該当接ブロックと吸引し合う環状ブロックを嵌着した中棒を含んでなる傘部と、を具え、該ステッキ部を該傘部の中棒の収納空間に着脱自在に収納してなる。
【００１２】
かかる構成によって、該ステッキ部を該傘部の中棒に収納した場合、該当接ブロックが該中棒の段差部に当接し、かつ性を有し互いに吸引しあう該当接ブロックと該環状ブロックの作用によって該ステッキ部が該傘部に固定されて、ステッキとして使用することができる。また、該ステッキ部を引き抜くという簡易な操作でステッキ部と傘部とを分離させて使用することができる。
【図面の簡単な説明】
【００１３】
【図１】この考案におけるステッキ部を傘部に収納した状態を示した説明図である。
【図２】この考案におけるステッキ部と傘部とを分離させた状態を示した説明図である。
【図３】この考案におけるステッキ部と傘部の着脱構造を示した一部切り欠き説明図である。
【考案を実施するための形態】
【００１４】
この考案は、傘及び／もしくはステッキとして使用できるステッキ傘を提供するものであって、該ステッキ部を該傘部の中棒内に着脱自在に収納し、簡易な操作でステッキ部と傘部とを着脱できるように構成する。
係るステッキ傘の構造と特徴を説明するために、具体的な実施例を挙げ、図面を参照にして以下に詳述する。
【実施例】
【００１５】
この考案によるステッキ傘は、図１に開示するように、ステッキ部２０を傘部１０の中棒１３内に収納することができる。また、図２に開示するようにステッキ部２０を取り出して、傘部１０とステッキ部２０を分離させて使用することもできる。
【００１６】
図３に開示するように、ステッキ部２は、ステッキ本体２２と、ステッキ本体２２の取付け端２４から嵌着する当接ブロック２３とハンドル２１とによってなる。
【００１７】
中棒１３は、収納空間１４を有する中空の棒であって、収納空間１４にステッキ本体２２を収納する。また、中棒１３は、開口を有する一端の外周面を肉厚にしてグリップ１２形成するか、もしくはグリップ１２を別途形成して嵌着してもよい。ステッキ部２２と傘部１０とを分離して、傘部１０のみを使用する場合、グリップ１２を傘の手元として把持する。
【００１８】
グリップ１２の内周面には開口端から段差部１６を形成する。段差部１６には内径が中棒１３の段差部１６を形成しない部分の内径に等しい環状ブロック１５を嵌着する。段差部１６の環状ブロック１５の上端面から中棒１３の開口端に至る部分には、ステッキ本体２２に嵌着した当接ブロック２３が当接する。
【００１９】
当接ブロック２３と環状ブロック１５は、磁性を有する材料で形成し、かつ互いに吸引する。よって、ステッキ部２０のステッキ本体２２を中棒１３に収納した場合、当接ブロックが中棒１３の段差部１６に当接し、かつ当接ブロック２３と環状ブロック１５とが互いに吸引するため、ステッキ部２０が傘部１０に固定されて、ステッキ部２０と傘部１０とを一体にしてステッキとして使用することができる。
【００２０】
また。ステッキ部２０を傘部１０から抜き出すことによってステッキ部２０をステッキとして使用し、傘部１０を傘として使用することができる。当然のことながら、傘部１０には、石突、親骨、上ろくろ（図示しない）、上笠（図示しない）、もしくは上はじき（図示しない）などの傘を構成する部分を含む。
【００２１】
以上はこの考案の好ましい実施の形態であって、この考案の実施の範囲を限定するものではない。よって、当業者の為し得る修正、もしくは変更であって、この考案の精神の下においてなされ、この考案に対して均等の効果を有するものは、いずれもこの考案の実用新案登録請求の範囲に属するものとする。
【符号の説明】
【００２２】
１０ 傘部
１２ グリップ
１３ 中棒
１４ 収納空間
１５ 環状ブロック
１６ 段差部
２０ ステッキ部
２１ ハンドル
２２ ステッキ本体
２３ 当接ブロック
２４ 取付け端
【手続補正２】
【補正対象書類名】実用新案登録請求の範囲
【補正対象項目名】全文
【補正方法】変更
【補正の内容】
【実用新案登録請求の範囲】
【請求項１】
ステッキ本体の一端に磁性を有する当接ブロックとハンドルとを設けたステッキ部と、
収納空間を有する中空の棒であって、一端の外周面にグリップを形成し、該グリップを形成する部分の内周面に段差部を形成して、該段差部に磁性を有して該当接ブロックと吸引し合う環状ブロックを嵌着した中棒を含んでなる傘部と、を具え、
該ステッキ部を該傘部の中棒の収納空間に着脱自在に収納したことを特徴とするステッキ傘。